(57)【特許請求の範囲】
【請求項１】
一端の開口部から他端の開口部に向けて毛髪束を挿入可能な筒状体から構成された毛髪保持具であって、
前記筒状体を形成するシートは、少なくとも前記他端の開口部側の長手方向半分の領域が、毛髪に対して低摩擦性を有する低摩擦性シートから構成されており且つ、前記筒状体の内表面における前記一端の開口部側に、毛髪に対して高摩擦性を有する高摩擦性部材が配設されている毛髪保持具。
【請求項２】
前記筒状体は、毛髪束を挿入した状態で、該筒状体の長手方向にジグザグに稜線が形成されるように折り畳まれて巻き上げられるようになっている請求項１に記載の毛髪保持具。
【請求項３】
前記高摩擦性部材は、前記一端の開口部から少なくとも２個の前記稜線を横断するように配設されている請求項２記載の毛髪保持具。
【請求項４】
前記低摩擦性シートは、前記稜線に沿う方向に変形可能なメッシュシートからなる請求項２又は３に記載の毛髪保持具。
【発明の詳細な説明】
【技術分野】
【０００１】
本発明は、毛髪束を所定の形状に巻き上げるときに用いられる毛髪保持具に関する。
【背景技術】
【０００２】
下記特許文献１には、一端の開口部から他端の開口部に向けて毛髪束を挿入可能な筒状体から構成され、筒状体の外周面に巻き上げ用糸がスパイラル状に巻き付けられた毛髪保持具が記載されている。このような毛髪保持具によれば、筒状体に毛髪束を挿入した状態で巻き上げ用糸を引っ張ると、筒状体は、長手方向にジグザグに稜線が形成されるように折り畳まれて巻き上げられる。その結果、筒状体に挿入された毛髪束は、スパイラル状に巻き上げられる。その際、筒状体に挿入された毛髪束は、筒状体の内部における稜線に沿った位置に配置した状態で巻き上げられると、綺麗なスパイラル状に巻き上げられる。
【０００３】
【特許文献１】特開２００３−９３１３３号公報
【発明の開示】
【発明が解決しようとする課題】
【０００４】
しかし、特許文献１記載の毛髪保持具においては、筒状体に挿入された毛髪束が筒状体の内部における稜線に沿った方向に円滑に移動し難い傾向があり、その場合には、毛髪束は稜線を横断した状態で巻き上げられることになる。このように巻き上げられると、毛髪束は稜線を横断した部位において屈曲し、ひどいときには完全に折れ曲がることもある。この現象は、毛髪束における剛性の低い毛先近傍において特に顕著に発現する。
また、巻き上げ完了後、巻き上げにより得られた毛髪束のウエーブをくせ付けする工程（パーマ工程、スタイリング工程）において、該毛髪束から毛髪保持具がずれて脱落するという問題も発生していた。
【０００５】
従って、本発明の目的は、巻き上げの際に、筒状体に挿入された毛髪束が筒状体の内部を円滑に移動できるため、毛髪束が屈曲し難く、綺麗な巻き上げ形状の毛髪束が得られ且つ、巻き上げ後に毛髪束から脱落し難い毛髪保持具を提供することにある。
【課題を解決するための手段】
【０００６】
本発明は、一端の開口部から他端の開口部に向けて毛髪束を挿入可能な筒状体から構成された毛髪保持具であって、前記筒状体を形成するシートは、少なくとも前記他端の開口部側の長手方向半分の領域が、毛髪に対して低摩擦性を有する低摩擦性シートから構成されており且つ、前記筒状体の内表面における前記一端の開口部側に、毛髪に対して高摩擦性を有する高摩擦性部材が配設されている毛髪保持具を提供することにより、上記目的を達成したものである。
【発明の効果】
【０００７】
本発明の毛髪保持具によれば、巻き上げの際に、筒状体に挿入された毛髪束が筒状体の内部を円滑に移動できるため、毛髪束が屈曲し難く、綺麗な巻き上げ形状の毛髪束が得られ、更に、毛髪束からの毛髪保持具の脱落をし難くすることができる。
【発明を実施するための最良の形態】
【０００８】
以下、本発明の毛髪保持具を、その好ましい一実施形態に基づき図面を参照しながら説明する。
本実施形態の毛髪保持具１は、図１に示すように、一端の開口部２１から他端の開口部２２に向けて毛髪束Ｈ〔図６（ｃ）参照〕を挿入可能な筒状体２からなる。筒状体２を形成するシート２３は、少なくとも他端の開口部２２側の長手方向半分の領域が、毛髪に対して低摩擦性を有する低摩擦性シートから構成されている。
【０００９】
本実施形態の毛髪保持具１について更に詳述する。筒状体２は、図１に示すように、一方の面を形成する一面シート２３Ａ及び他方の面を形成する他面シート２３Ｂからなる。一面シート２３Ａ及び他面シート２３Ｂは、帯状シートであり、その両側端部２４，２４同士が接合されて、一端の開口部２１及び他端の開口部２２を有する筒状体２が形成されている。一端の開口部２１は、毛髪取り込み口となる開口部である。
筒状体２の大きさは、毛髪の長さ、くせ付けしたい場所、挿入する毛髪束の量等に応じて適宜設定されるが、好ましくは長さが５０〜３５０ｍｍ、幅が２０〜１００ｍｍである。
【００１０】
筒状体２を形成するシート２３（一面シート２３Ａ及び他面シート２３Ｂに共通する説明を行う際には「シート２３」の表現を用いる）は、その全長が、毛髪に対して低摩擦性を有する低摩擦性シートから構成されている。低摩擦性シートとは、後述する「摩擦係数測定方法」により測定された摩擦係数μが、０．６以下、好ましくは０．５５以下のシートをいう。
【００１１】
〔摩擦係数測定方法〕
摩擦係数測定方法を図２を参照しながら説明する。筒状体２として、その内部の挿入空間（両側端部２４の接合部を除く、毛髪束Ｈが挿入される空間）の長さが３００ｍｍ、幅が４０ｍｍのものを用いる。毛髪束Ｈ（直径：約６ｍｍ、毛髪本数：約４０００本、毛髪直径：約８０〜１００μｍ）を、筒状体２の一端の開口部２１側から内部に２００ｍｍ挿入する。
【００１２】
毛髪束Ｈの挿入された筒状体２における一端の開口部２１近傍を、基台Ｍ１に載置し、長さ（筒状体２の長手方向に沿う長さ）２５ｍｍ、幅（筒状体２の幅方向に沿う幅）５０ｍｍの底面を有する押し付け部材Ｍ２により、押し付け荷重Ｆ１＝１ｋｇｆ（９．８Ｎ）で上方から押し付ける。この状態で、筒状体２における他端の開口部２２側を引っ張り速度４０ｍｍ／ｓｅｃで引っ張る。このように引っ張った際に毛髪束Ｈが筒状体２の一端の開口部２１から完全に引き抜かれるのに要する力を引き抜き力Ｆ２とする。摩擦係数μは、引き抜き力Ｆ２及び押し付け荷重Ｆ１から下記式のように算出される。
摩擦係数μ＝引き抜き力Ｆ２／押し付け荷重Ｆ１
【００１３】
筒状体２を形成するシート２３としては、各種可撓性材料が用いられる。このような可撓性材料としては、メッシュシート、不織布、織布、多孔性若しくは非多孔性の樹脂フィルム、紙又はこれらの複合体等が挙げられる。本実施形態におけるシート２３は、径が４０〜６０μｍのポリエステルを平織したメッシュシートからなる。
【００１４】
筒状体２を形成するシート２３は、具体的用途に則して材料が選択される。例えば、筒状体２内に挿入された毛髪束に対して筒状体２の外部から毛髪処理剤を施したいときには、該毛髪処理剤に対して透過性を有する材料を用いればよい。筒状体２内に挿入された毛髪束のみに毛髪処理剤を施したいときには、該毛髪処理剤に対して非透過性を有する材料を用いればよい。
【００１５】
筒状体２を形成するシート２３の厚みは、特に限定されないが、好ましくは５〜５００μｍである。筒状体２を形成するシート２３の厚み及びテーバーこわさは、シート全体で均一の方が好ましい。尚、前記「テーバーこわさ」は、ＪＩＳ  Ｐ８１２５に規定される「こわさ試験方法」により測定される腰の強さ（剛性）の指標である。
【００１６】
一面シート２３Ａと他面シート２３Ｂとの接合には、ヒートシール、インパルスシール、超音波シール、接着剤、粘着テープ、縫製等が用いられ、本実施形態においては、ヒートシールが用いられている。
【００１７】
筒状体２の一端の開口部２１近傍には、図１に示すように、一面シート２３Ａ及び他面シート２３Ｂの外面それぞれに、取り込み口補強シート５１，５１が接合されている。そのため、筒状体２における一端の開口部２１近傍のテーバーこわさ（剛性）が向上し、一端の開口部２１への毛髪束の挿入性が向上している。本実施形態における取り込み口補強シート５１，５１は、一面シート２３Ａ及び他面シート２３Ｂと同じ幅の帯状シートから形成されており、それぞれ一面シート２３Ａ及び他面シート２３Ｂに全面的に接合されている。
【００１８】
筒状体２の一端の開口部２１近傍には、図１及び図３に示すように、一面シート２３Ａ及び他面シート２３Ｂの外面それぞれに、指を掛け得る一対の指掛け部４，４が設けられている。本実施形態における一対の指掛け部４，４は、帯状シートが矩形輪状にされて形成されており、それぞれ一面シート２３Ａ側の取り込み口補強シート５１及び他面シート２３Ｂ側の取り込み口補強シート５１を介して間接的に、一面シート２３Ａ及び他面シート２３Ｂの外面に面状に接合されている。
【００１９】
指掛け部４の内周長は、それに指を掛けた際の安定感等の観点から、好ましくは４〜１０ｃｍである。指掛け部４の幅は、それに指を掛けた際の安定感や触感等の観点から、好ましくは５〜６０ｍｍである。
指掛け部４を形成する材料としては、各種可撓性材料が用いられる。その可撓性材料としては、樹脂フィルム、紙、金属板又はこれらの複合体等が挙げられる。
指掛け部４は、指を掛けた際の安定性や指の挿入性等の観点から、テーバーこわさが０．４〜１．０ｍＮ・ｍの材料から形成されていることが好ましい。
【００２０】
筒状体２を形成する一面シート２３Ａ及び他面シート２３Ｂには、図１に示すように、それぞれ、筒状体２の巻き上げ用の巻き上げ用糸７を挿通案内する複数個の挿通孔部６Ａ，６Ｂが設けられている。巻き上げ用糸７は、その一端７１が筒状体２の他端の開口部２２近傍に固定されており、挿通孔部６Ａ，６Ｂに順次挿通案内されて筒状体２の外周面にスパイラル状に巻き付けられている。
【００２１】
巻き上げ用糸７は、筒状体２内に挿入されている毛髪束を、筒状体２ごと巻き上げる手段として用いられる。本発明において巻き上げとは、毛髪束に所定のくせ付けをすること全般を意味し、本来の巻き上げ（スパイラル状の巻き上げ）に加えて例えば湾曲や屈曲も包含される。
【００２２】
巻き上げ用糸７は、これを引っ張って毛髪の巻き上げ操作を行うときに、引きちぎれない程度の強度及び巻き上げ操作を円滑に行い得る柔軟性を有していることが好ましい。この点から、巻き上げ用糸７は各種樹脂等の合成物、木綿や麻等の天然物、レーヨン等の半天然物、各種金属、又はこれらの複合体等から構成されていることが好ましい。また、巻き上げ用糸７は、糸状のものに限られず、例えば細長い帯状のものでもよい。
【００２３】
巻き上げ用糸７は、一面シート２３Ａ及び他面シート２３Ｂにおける両側部に互い違いに形成された挿通孔部６Ａ，６Ｂに、ジグザグの軌跡を描くように挿通されて、筒状体２に取り付けられている。詳細には、筒状体２は、その両側部に第１の挿通孔部６Ａからなる第１の挿通孔部列と、第２の挿通孔部６Ｂからなる第２の挿通孔部列とを有している。第１の挿通孔部列における隣接する挿通孔部６Ａ，６Ａの間隔は一定になっている。第２の挿通孔部列においても同様であり、その間隔は第１の挿通孔部列と同じになっている。そして、各挿通孔部列における挿通孔部６Ａ，６Ｂは、互いに半ピッチずれるように互い違いに配置されている。
【００２４】
筒状体２の側端部２４は、直線状にシールが施されており、これにより一面シート２３Ａと他面シート２３Ｂとが一体的に接合されている。
【００２５】
巻き上げ用糸７は、他端の開口部２２に最も近接した第１の挿通孔部６Ａに、他面シート２３Ｂから一面シート２３Ａに向けて挿通され、その位置から斜め左上方に位置する第２の挿通孔部６Ｂに向けて、一面シート２３Ａの外面に沿って配されている。そして、第２の挿通孔部６Ｂにおいて、一面シート２３Ａから他面シート２３Ｂに向けて挿通されている。第２の挿通孔部６Ｂに挿通された巻き上げ用糸７は、その位置から斜め右上方に位置する第１の挿通孔部６Ａに向けて、他面シート２３Ｂの外面に沿って配されている。以後、この挿通が繰り返され、巻き上げ用糸７はジグザグの軌跡を描くことになる。
【００２６】
巻き上げ用糸７の一端７１には、結び目が形成されており、他端の開口部２２に最も近接した挿通孔部６Ａに引っ掛かり、引き抜かれないように固定されている。一端の開口部２１に最も近接した挿通孔部６Ｂにおいては、巻き上げ用糸７は自由状態になっている。一端の開口部２１に最も近接した挿通孔部６Ｂに隣接して、挿通孔部６Ｃが設けられており、この挿通孔部６Ｃに、巻き上げ用糸７の他端７２が挿通されている。巻き上げ用糸７の他端７２には、結び目が形成されており、挿通孔部６Ｃに引っ掛かり、引き抜かれないように固定されている。
従って、巻き上げ用糸７の他端７２側を引っ張ると、図４に示すように、筒状体２は、スパイラル状に変形する。
【００２７】
このように筒状体２がスパイラル状に変形すると、筒状体２には、図５に示すように、その長手方向にジグザグに稜線Ｒが形成される。即ち、筒状体２は、毛髪束を挿入した状態で、筒状体２の長手方向にジグザグに稜線Ｒが形成されるように折り畳まれて巻き上げられるようになっている。尚、図５においては、筒状体２に形成された稜線Ｒの理解の便宜のため、稜線Ｒが形成された筒状体２を仮想的に長手方向に沿って引っ張った状態で図示している。
【００２８】
本実施形態における低摩擦性シートを形成するメッシュシートは、稜線Ｒに沿う方向Ｔ２に対して変形可能である。従って、毛髪束が筒状体２の内部における稜線Ｒに沿った位置に配置した状態で巻き上げられる際に、筒状体２を形成するシート２３が十分に伸張するので、毛髪束は綺麗なスパイラル状に巻き上げられる。
【００２９】
筒状体２の内表面における一端の開口部２１側には、図１及び図５に示すように、毛髪に対して高摩擦性を有する高摩擦性部材３が配設されている。詳述すると、高摩擦性部材３は、一面シート２３Ａ及び他面シート２３Ｂにおける内表面（筒状体２の挿入空間に面した表面）の幅方向中央部にそれぞれ配設されている。
高摩擦性部材は、前述の摩擦係数測定方法により測定される摩擦係数μが０．７以上、好ましくは１．０以上の部材をいう。
【００３０】
高摩擦性部材３は、例えば、一面シート２３Ａ及び他面シート２３Ｂそれぞれの内表面に、それらとは別体のシート片を接合することにより形成することができる。該シート片としては、樹脂フィルム、紙、金属板又はこれらの複合体が挙げられる。また、高摩擦性部材３は、一面シート２３Ａ及び他面シート２３Ｂそれぞれの内表面に、ホットメルト接着剤を面状に塗工して形成することができる。
【００３１】
高摩擦性部材３は、一端の開口部２１から少なくとも２個の稜線Ｒを横断するように配設されている。
高摩擦性部材３の長さは、好ましくは３０〜１７５ｍｍ、更に好ましくは１２０〜１５０ｍｍである。高摩擦性部材３の幅は、好ましくは３〜５０ｍｍ、更に好ましくは５〜２０ｍｍである。
なお、下記実施例で示した抜け性判定において評価が○及び◎であれば、高摩擦性部材３は、連続して配設されていても、不連続に配設されていてもよい。
【００３２】
巻き上げ用糸７の他端７２側における、一端の開口部２１に最も近接した挿通孔部６Ｂと挿通孔部６Ｃとの間には、図１に示すように、糸留め８が取り付けられている。糸留め８は、巻き上げ用糸７に沿って移動自在になっていると共に、所定位置で固定できるようになっている。そのため、筒状体２を巻き上げた後において、糸留め８を、一端の開口部２１に最も近接した挿通孔部６Ｂ近傍に移動し、その位置で固定することにより、筒状体２の巻き上げ状態を容易に維持できるようになっている。
【００３３】
このように構成された本実施形態の毛髪保持具１の一使用方法について、パーマネント処理を例に、図３、図６及び図７を参照しながら説明する。尚、図６においては、筒状体２における巻き上げ用糸７の図示を省略している。図６及び図７においては、毛髪保持具１を簡略化して図示している。
まず、図３に示すように、筒状体２の一端の開口部２１近傍に設けられた一対の指掛け部４，４に、それぞれ指Ｆ，Ｆを掛け、指Ｆ，Ｆを離間させる。その結果、一対の指掛け部４，４も離間し、筒状体２の一端の開口部２１がスムーズに開口する。
【００３４】
筒状体２における一端の開口部２１への毛髪束Ｈの挿入には、毛髪挿入具Ｓを用いる。毛髪挿入具Ｓは、図６（ａ）に示すように、細長板状で、一端側が先細状に形成された板状部材Ｓ１からなる。板状部材Ｓ１は、硬質の合成樹脂シート等から形成されている。板状部材Ｓ１の他端側には、長手方向に延びる波状スリット形状の係止部Ｓ２が設けられており、更に係止部Ｓ２と連続する略矩形状の切り抜き部Ｓ３が形成されている。
次に、図６（ａ）に示すように、毛髪束Ｈを毛髪挿入具Ｓの係止部Ｓ２に挿通して係止させる。毛髪束Ｈは、毛髪挿入具Ｓにおける係止部Ｓ２の形状に従って、毛髪挿入具Ｓの長手方向と直交する方向に延びた状態で係止部Ｓ２に係止される。
【００３５】
次いで、毛髪挿入具Ｓをその一端側から、開口させた筒状体２の一端の開口部２１に挿入する。図６（ｂ）に示すように、毛髪挿入具Ｓを筒状体２内に更に挿通させると、毛髪挿入具Ｓの係止部Ｓ２に係止された毛髪束Ｈが、一対の指掛け部４，４それぞれに掛けられた指Ｆ，Ｆに当接する。毛髪挿入具Ｓを筒状体２内に更に挿通させると、毛髪束Ｈは、指Ｆ，Ｆに当接してくの字に屈曲する。このように、毛髪束Ｈは筒状体２に挿入される直前で指Ｆ，Ｆに当接して屈曲するため、毛髪挿入具Ｓは筒状体２内にスムーズに挿入される。
【００３６】
そして、図６（ｃ）に示すように、毛髪挿入具Ｓを筒状体２の他端の開口部２２から引き抜く。その結果、毛髪挿入具Ｓの係止部Ｓ２に係止されていた毛髪束Ｈは、係止部Ｓ２から外れ、筒状体２の他端の開口部２２からはみ出るまで挿通される。尚、毛髪束Ｈは、筒状体２の他端の開口部２２からはみ出させなくてもよい。
【００３７】
次に、筒状体２における一端の開口部２１近傍を指（図示せず）で軽く押さえる。この状態下に、図７（ａ）に示すように、筒状体２の外周面に巻き付けられている巻き上げ用糸７の他端７２近傍又は糸留め８を引っ張る。すると図７（ｂ）及び図７（ｃ）に示すように、毛髪束Ｈは、筒状体２と共にスパイラル状に巻き上げられて、小さくまとめられる。
この状態を保持するために、図７（ｃ）に示すように、糸留め８を筒状体２における一端の開口部２１に最も近接した挿通孔部６Ｂ近傍に移動し、巻き上げ用糸７に係止して、筒状体２の巻き上げ状態を維持する。
【００３８】
筒状体２が巻き上げられた状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪束Ｈに施される。
所定時間放置後、毛髪保持具１及び毛髪束Ｈに付着した第１のパーマネント処理剤を水ですすぎ洗いをする。
【００３９】
その後、筒状体２に向けて第２のパーマネント処理剤（酸化剤）を付与し、再び所定時間放置する。これによって、筒状体２内に挿入されている毛髪束Ｈに対して、その巻き上げ形態のパーマネントウエーブが掛けられる。その後、糸留め８を巻き上げ用糸７の他端７２側に移動し、毛髪束Ｈの巻き上げ状態を解除する。引き続き、毛髪束Ｈを筒状体２から取り出し、すすぎ洗いをし、更にシャンプー及びブローをする。
【００４０】
次に、本実施形態の毛髪保持具１の効果について説明する。
仮に、筒状体２を形成するシート２３が、毛髪に対する摩擦が高いシートから形成されていると、筒状体２に挿通された毛髪束は、筒状体２を形成するシート２３との摩擦により、巻き上げの際に稜線Ｒに沿った方向に円滑に移動し難く、稜線Ｒを横断する位置Ｕ（図８参照）に配置され易い。そのため、毛髪束は稜線Ｒを横断する位置Ｕに配置された状態で巻き上げられ、毛髪束は稜線Ｒを横断した部位において屈曲し易い。
【００４１】
これに対し、本実施形態の毛髪保持具１によれば、筒状体２を形成するシート２３は、少なくとも他端の開口部２２側の長手方向半分の領域が、毛髪に対して低摩擦性を有する低摩擦性シートから構成されている。そのため、巻き上げの際に、筒状体２に挿入された毛髪束Ｈは、筒状体２の内部を円滑に移動でき、筒状体２の内部における稜線Ｒに沿った方向に配置した状態で巻き上げられ、綺麗なスパイラル状に巻き上げられる。その結果、毛髪束Ｈは屈曲し難く、綺麗な巻き上げ形状の毛髪束Ｈが得られる。
【００４２】
また、本実施形態の毛髪保持具１においては、筒状体２の内表面における一端の開口部２１側に高摩擦性部材３が配設されているため、筒状体２に挿通された毛髪束Ｈが筒状体２の一端の開口部２１から抜け難くなり、例えば、他の毛髪保持具における毛髪束の挿通作業中、巻き上げ作業中、大量の毛髪束を巻き上げるとき、被施術者が頭を動かした場合、毛髪保持具のすすぎ洗い作業中等において、毛髪束Ｈから筒状体２が抜け落ち難い。
【００４３】
以上、本発明の毛髪保持具の好ましい実施形態について説明したが、本発明の毛髪保持具は、前述した実施形態に制限されることなく、本発明の趣旨を逸脱しない限り、適宜変更が可能である。
【００４４】
筒状体２を形成するシート２３は、少なくとも他端の開口部２２側の長手方向半分の領域が低摩擦性シートから構成されていればよい。従って、例えば、図９に示すように、筒状体２を形成するシート２３は、他端の開口部２２側の長手方向半分の領域（以下「他端の開口部側領域」という）２Ｂが低摩擦性シートから構成され、一端の開口部２１側の長手方向半分の領域（以下「一端の開口部側領域」という）２Ａが低摩擦性シートではないシートから構成されていてもよい。
筒状体２を形成するシート２３において、低摩擦性シートから構成される領域の長さは、他端の開口部２２側から５０％以上の長さであることが好ましく、６０％以上の長さであることが更に好ましい。
【００４５】
筒状体２を形成する一面シート２３Ａ及び他面シート２３Ｂは、１枚のシートから形成することができる。その場合、該１枚のシートをその幅方向中央部で長手方向に折り返して筒状体２を形成すればよい。
巻き上げ用糸７の挿通形態は、筒状体２を巻き上げることができれば、前述の実施形態における挿通形態に制限されない。巻き上げ用糸７は設けられていなくてもよい。
【実施例】
【００４６】
本発明の効果について、実施例及び比較例を用いて更に詳細に説明する。
〔実施例１〕
筒状体２全体を、低摩擦性シートであるメッシュシート（山中産業株式会社製メッシュシート、型番：ティーロードシャープ４８１７、繊維種：ＰＥＴ繊維、繊維径：約５０μｍ）から形成した。筒状体２の一面シート２３Ａ及び他面シート２３Ｂそれぞれの内表面における一端の開口部２１側に、高摩擦性部材３として面ファスナー（住友３Ｍ株式会社製メカニカルファスナー、型番：ＮＣ−２１４１、材質：ＰＰ製、幅：１０ｍｍ、長さ：１００ｍｍ）を配設した。
また、筒状体及び毛髪束の寸法は、前述の摩擦係数測定方法で用いたものと同じものを使用した。
尚、後述する〔表１〕における摩擦係数は、低摩擦性シートに高摩擦部材が配設された状態における測定値を示す。また、測定装置の性能上、摩擦係数μが１以上の場合は、すべて「１以上」と評価した。
【００４７】
〔実施例２〕
高摩擦性部材３は、ホットメルト接着剤（積水フーラー株式会社製ホットメルト、型番：セキスイエスダイン８６２６Ｍ、塗工厚み：約５０μｍ、塗工幅：約１０ｍｍ、塗工長さ：約１００ｍｍ）を面状に塗工して形成されている。それ以外は、実施例１と同じである。
【００４８】
〔実施例３〕
筒状体２全体を、低摩擦性シートである、芯がポリエステル／鞘がポリエチレンの芯鞘型スパンボンド不織布（ユニチカ株式会社製エルベス、坪量２０ｇ／ｍ2）で形成した。それ以外は、実施例２と同じである。
【００４９】
〔比較例１〕
高摩擦性部材を配設せず、筒状体２全体を、低摩擦性シートである実施例３におけるスパンボンド不織布のみから形成した。それ以外は、実施例１と同じである。尚、〔表１〕における摩擦係数は、使用したスパンボンド不織布の測定値を示す。
【００５０】
〔比較例２〕
高摩擦性部材を配設せず、筒状体２全体を、低摩擦性シートではない、エアスルー不織布（坪量：４０ｇ／ｍ2、長さ：５０ｍｍ、ＰＥＴ／ＰＥ芯鞘構造、繊維径：９ｄ、長さ：５０ｍｍ）から形成した。それ以外は、実施例１と同じである。尚、〔表１〕における摩擦係数は、使用したエアスルー不織布の測定値を示す。
【００５１】
〔引き抜き力〕
ここでいう引き抜き力は、毛髪保持具に前述の摩擦係数測定方法で用いた条件と同じ毛髪束を挿入し、図７（ｃ）に示す毛髪束を巻き上げた状態から、毛髪保持具を抜き取る（引き抜く）のに必要な力を測定したものである。
〔測定方法〕
図７（ｃ）に示すように毛髪を巻き上げた状態で筒状体２の他端の開口部２２にプッシュプルゲージ（株式会社  イマダ製）を取付け、毛髪束から引き抜く方向に毛髪保持具を引っ張ったときの最大の値をその測定値とした。
〔抜け性判定〕
前述の引き抜き力の値が６００ｇ以上時は◎、３００ｇ以上６００ｇ未満の時は○、１００ｇ以上３００ｇ未満の時は△、１００ｇ以下の時は×として抜け性を評価した。
【００５２】
〔毛髪束広がり〕
毛髪保持具に前述の摩擦係数測定方法で用いた条件と同じ毛髪束を挿入し、図７（ｃ）に示すように毛髪束を巻き上げた状態での目視による評価を行った。
○：筒状体２の内部における稜線Ｒに沿った位置まで毛髪束が充分広がった状態
×：筒状体２の内部における稜線Ｒに沿った位置まで毛髪束が広がらない状態
【００５３】
〔毛先の状態〕
毛髪保持具に前述の摩擦係数測定方法で用いた条件と同じ毛髪束を挿入し、図７（ｃ）に示すように毛髪を巻き上げた状態での目視による評価を行なった。
○：毛髪先端が稜線に沿って、毛髪束が巻き上げられている場合
×：毛髪先端が稜線を横断し、毛髪束が折り曲げられた状態で巻き上げられている場合
【００５４】
前記実施例１〜３及び比較例１〜２についての評価結果について下記〔表１〕に示す。
【００５５】
【表１】
0004707604.tif 000002
【００５６】
〔表１〕に示す評価結果から明らかなように、本発明の毛髪保持具によれば、毛髪保持具の他端の開口部側の長手方向半分の領域が、毛髪に対して低摩擦性を有する低摩擦性シートから構成され、且つ前記筒状体の内表面における一端の開口部側に、毛髪に対して高摩擦性を有する高摩擦性部材を配設することで、筒状体に挿入された毛髪束が筒状体の内部を円滑に移動できるため、毛髪束が屈曲し難く、綺麗な巻き上げ形状の毛髪束が得られ且つ、巻き上げ後における毛髪束からの毛髪保持具の脱落を防止できる。
【図面の簡単な説明】
【００５７】
【図１】図１は、本発明の毛髪保持具の一実施形態を示す図で、（ａ）は正面図、（ｂ）は部分右側面図ある。
【図２】図２は、摩擦係数測定方法を模式的に示す図である。
【図３】図３は、図１に示す毛髪保持具における一端の開口部を開口した状態を示す斜視図である。
【図４】図４は、図１に示す毛髪保持具を巻き上げた状態を示す斜視図である。
【図５】図５は、図１に示す毛髪保持具を巻き上げたときに形成される稜線を示す仮想的な展開図である。
【図６】図６は、図１に示す毛髪保持具の一使用態様を示す図で、（ａ）、（ｂ）及び（ｃ）は、それぞれ毛髪保持具への毛髪挿入具の挿通手順を順次示す正面図である。
【図７】図７は、図１に示す毛髪保持具の一使用態様を示す図で、（ａ）、（ｂ）及び（ｃ）は、それぞれ毛髪束の巻回手順を順次示す斜視図である。
【図８】図８は、毛髪束が筒状体の好ましくない位置に配置された状態を示す模式図である。
【図９】図９は、筒状体の変形例を示す正面図である。
【符号の説明】
【００５８】
１  毛髪保持具
２  筒状体
２１  一端の開口部
２２  他端の開口部
２３  筒状体を形成するシート
２３Ａ  一面シート
２３Ｂ  他面シート
３  高摩擦性部材
４  指掛け部
５１  取り込み口補強シート
６Ａ、６Ｂ、６Ｃ  挿通孔部
７  巻き上げ用糸
７１  一端
７２  他端
８  糸留め
Ｆ  指
Ｈ  毛髪束
Ｓ  毛髪挿入具
【図１】
0004707604.tif 000003
【図２】
0004707604.tif 000004
【図３】
0004707604.tif 000005
【図４】
0004707604.tif 000006
【図５】
0004707604.tif 000007
【図６】
0004707604.tif 000008
【図７】
0004707604.tif 000009
【図８】
0004707604.tif 000010
【図９】
0004707604.tif 000011